(57)【要約】【課題】遮煙引戸を引戸枠に上下方向中間部分で確実に引寄せ密着できる遮煙引戸装置を提供する。【解決手段】戸袋６に収納される遮煙引戸７の上下方向中間部分には、中間部引寄せ手段１１が設けられている。その中間部引寄せ手段１１は、遮煙引戸７の内部から外側へ出没可能な揺動フック３４を備えている。揺動フック３４は、引寄せケース３８内をアジャスターボルト４４の回動によって移動する移動ケース４５により出没し、戸袋６に収納される際に突出される。突出状態では、引戸縦枠１９の中間部フック受け３５に係合可能となっている。火災時に遮煙引戸７が閉鎖すると、揺動フック３４と中間フック受け３５との係合によって遮煙引戸７の中間部分が引戸縦枠１９に引寄せられて密着する。【選択図】  図７
2004169444.tif 000002
【特許請求の範囲】
【請求項１】
通路側方に戸袋を設け、その戸袋内に遮煙引戸を格納し、遮煙引戸を引戸通過開口から前記通路前方に出没可能とし、遮煙引戸の閉鎖時に通路を構成する構造体に枠組みした引戸枠に遮煙引戸を引寄せて密閉する遮煙引戸装置において、遮煙引戸を構成する戸袋側の引戸縦框の上下方向中間部分に中間部引寄せ手段を設けてあり、その中間部引寄せ手段は、遮煙引戸の内部から外側へ出没可能に設けられ、引戸縦枠に設けた中間フック受けとの係合により遮煙引戸を引戸枠に引寄せる揺動フックを備えていることを特徴とする遮煙引戸装置。
【請求項２】
中間部引寄せ手段は、前記揺動フックが揺動可能に設けられる引寄せケースを遮煙引戸縦框に設け、その引寄せケース内に遮煙引戸の開閉方向へ移動可能に移動ケースを設け、引寄せケースに設けたアジャスターボルトと移動ケースとを螺合し、そのボルトの回動による移動ケースの移動によって揺動フックを中間フック受けに向けて飛び出し状態とするように構成してあることを特徴とする請求項１記載の遮煙引戸装置。
【請求項３】
移動ケース内側には、揺動フックに向けて突出し、移動ケースの移動によって揺動フックを押出す中間フック受けに向けて広がるように形成された上、下押出し片が形成されていることを特徴とする請求項２記載の遮煙引戸装置。
【発明の詳細な説明】
【０００１】
【発明の属する技術分野】
この発明は、エレベータの乗降口に附設する遮煙防火扉装置に関する。
【０００２】
【従来の技術】
火災時において、火炎の広がりを防ぎ、また、火災に伴う煙が通路に充満して避難の妨げにならないように、ビルなどの開口部に防火遮煙引戸が設置されている。遮煙引戸は、通常時には電磁レリーズに係止されて開き状態に保持されており、火災時には、電磁レリーズを作動させて保持を解除して遮煙引戸を閉じて開口部を閉鎖し、このときに、遮煙引戸を引戸枠に引き寄せして密着する構造である。このような引戸を引戸枠に密着させる構造のものとして、特許文献１に開示のものがある。この特許文献１のものでは、引戸枠の上、下枠に傾斜台が配置されており、引戸の上、下框にはローラが取り付けられて引寄せ装置を構成しており、引戸の閉鎖時には傾斜台とローラの係合によって引戸が引戸枠に引寄せられるようになっている。また、特許文献２では、引戸の上、下框の略中央部に引寄せ具が取り付けられており、戸当り側に設けられた引寄せ構造及び召し合せ框に設けた上、下枠に当接係合する引寄せ装置とによって引戸と引戸枠とを密着している。更に、特許文献３では、クレセントの施錠により障子を引き分け移動し内、外障子戸先框の上、中、下部に設けられた係合ピースを窓枠の内、外障子当接片に当接して内、外障子戸先框を引寄せるようになっている。
【０００３】
【特許文献１】
実公平４−２０４５７号公報
【特許文献２】
実願昭５３−１８２２８９号（実開昭５４−１０１０５２号）のマイクロフィルム
【特許文献３】
特公昭６３−６４５８７号公報
【０００４】
【発明が解決しようとする課題】
前記特許文献１のものでは、上、下枠の傾斜台と上、下框のローラとによって引戸を枠に引寄せられるが、このように上、下部分で引戸を枠に引寄せるだけでは、高さのある大きな遮煙引戸では、上下方向中間部分で引戸と枠とが十分に密着しない恐れがあった。また、特許文献２では、上、下框の略中央部に引寄せ具が取り付けられているが、特許文献１と同様に上下方向中間部分には引寄せ具が無く、中間部分が十分に密着しない恐れがあった。このように特許文献１、２では、上下方向中間部分に引寄せ装置を備えていないので特許文献１、２のように上下のみに引寄せ装置を設けた遮煙引戸では、火災時の炎の熱によって上下方向中間部分での遮煙引戸の変形が防止することができず、変形部分から炎や煙が漏れる恐れがあった。
【０００５】
また、特許文献３では、内、外障子戸先框の中部に係合ピースを設けて当接片に当接して引戸を窓枠に引寄せているが、通路側方の戸袋内に収納された遮煙引戸では、火災時に引戸を突合わせて通路を遮蔽し、引戸枠に遮煙引戸が引寄せられて密閉するが、このとき戸袋側の遮煙引戸縦框の上下方向中間部分を遮煙引戸縦枠に引寄せるために遮煙引戸縦枠の上下方向中間部分に中間部引寄せ手段を設ける場合、縦框の開閉移動方向上には縦枠が無く見込み方向に遮煙引戸縦枠が位置するため、特許文献３のように内、外障子戸先框の引き分け移動方向（開閉方向）に設けた係合ピースと引き分け移動方向上にある縦枠の当接片を当接して引寄せるように構成することができない。そのため、戸袋側の縦框の見込み方向に単に係合ピースを設け、縦枠に当接片を設けて引寄せるようにした場合には、遮煙引戸を通路開口部に取付ける時に、遮煙引戸を戸袋に収納する際に係合ピースが戸袋の引戸通過開口に当り、戸袋内に収納できない問題があった。
本願の課題は、遮煙引戸の上下方向中間部分に中間部引寄せ手段を備えていても取付け時に戸袋に遮煙引戸を簡単に収納することができ、火災時に熱による変形で遮煙引戸と引戸枠との間に隙間ができにくい遮煙引戸装置を提供することである。
【０００６】
【課題を解決するための手段】
前記課題解決のため本願発明では、通路側方に戸袋を設け、その戸袋内に遮煙引戸を格納し、遮煙引戸を引戸通過開口から前記通路前方に出没可能とし、遮煙引戸の閉鎖時に通路を構成する構造体に枠組みした引戸枠に遮煙引戸を引寄せて密閉する遮煙引戸装置において、遮煙引戸を構成する戸袋側の引戸縦框の上下方向中間部分に中間部引寄せ手段を設けてあり、その中間部引寄せ手段は、遮煙引戸の内部から外側へ出没可能に設けられ、引戸縦枠に設けた中間フック受けとの係合により遮煙引戸を引戸枠に引寄せる揺動フックを備えていることを特徴とする（請求項１）。これによれば、中間部引寄せ手段により遮煙引戸の引戸縦框の上下方向中間部分を引戸縦枠に引寄せ密着するので、火災時に引戸縦框と引戸縦枠間に隙間ができ難く、煙や火炎を漏らさない。また、施工時には揺動フックを遮煙引戸内に没入できるので、遮煙引戸を戸袋に収めるときに引戸通過開口に揺動フックが当ること無く容易に収めることができる。
【０００７】
好ましくは、中間部引寄せ手段は、前記揺動フックが揺動可能に設けられる引寄せケースを遮煙引戸縦框に設け、その引寄せケース内に遮煙引戸の開閉方向へ移動可能に移動ケースを設け、引寄せケースに設けたアジャスターボルトと移動ケースとを螺合し、そのボルトの回動による移動ケースの移動によって揺動フックを中間フック受けに向けて飛び出し状態とするように構成してあることを特徴とする（請求項２）。これによれば、アジャスターボルトを回動することで揺動フックを飛び出し状態とするので、揺動フックの揺動量をアジャスターボルトによって調整でき、揺動フックの揺動量により遮煙引戸と引戸枠との密着量と遮煙引戸の戸先の密着量とを調整することができて好ましい。
【０００８】
前記移動ケース内側には、揺動フックに向けて突出し、移動ケースの移動によって揺動フックを押出す中間フック受けに向けて広がるように形成された上、下押出し片が形成されていることを特徴とする（請求項３）。
【０００９】
【発明の実施の形態】
本願発明の実施の形態について図１〜図８に基づいて説明する。図２において１は、エレベータのかごの開閉ドアと連動して左右に開閉する壁（構造体）２の開口３に設けられた一対の乗降扉であり、乗降扉１の前方には、火災時において火炎と煙の広がりを防ぐために乗降口通路４を閉鎖する遮煙引戸装置５が設けてある。遮煙引戸装置５は、乗降口通路４を構成する側方の壁２に設けられた戸袋６に収納される遮煙引戸７と、引戸枠８に遮煙引戸７を引寄せて密着するための上、下引寄せ手段９，１０と上下方向中間部分の中間部引寄せ手段１１とを備えている。戸袋６は、壁２と、壁２の上、左右の縁に取付けられた上、左右の通路枠１２ａ，１２ｂ，１２ｂと、図３に示すように、床面Ｆから天井材１３まで立ち上がる開口側の左右の戸袋縦枠１４と、開口外側の左右の戸袋縦枠１５と開口側の戸袋縦枠１４との間に床面Ｆから天井材１３までの間を塞ぐように取り付けた化粧板１６とで構成されている。
【００１０】
次に遮煙引戸装置５について説明する。引戸枠８は、図２、図３に示すように、上通路枠１２ａのフロア１７側に取付けられる引戸上枠１８と、壁２の開口３側左右縁部分のフロア１７側で戸袋６内側に設けられた左右の引戸縦枠１９とを枠組みして構成されている。引戸上枠１８上には、駆動部収容ケース２０が左右の戸袋６間に亘って配置されている。この駆動部収容ケース２０にはレール２１が配置されており、そのレール２１には図３、図４に示すように、吊下げ装置２２を介して左右一対の遮煙引戸７が移動可能に吊下げ案内されている。吊下げ装置２２は、レール２１上を転動するローラ２３を備えた支持部材２４の下端と遮煙引戸７の上端とをリンク２５で屈曲可能に繋いで構成されている。ケース２０の両端にはスプロケット２６が回動可能に設けてあり（図４）、このスプロケット２６に巻回された周回チェン２７の下側チェン部２７ｂに右側の遮煙引戸７の支持部材２４が結合され、上側チェン部２７ａに左側の遮煙引戸７の支持部材２４が結合されている。スプロケット２６の一方には、特公平１−２１３１０号や実開昭５４−４９１４８号などで周知の引戸自閉装置２８に連結してある。引戸自閉装置２８は、ぜんまい（定出力スプリング）２９に遮煙引戸７を閉鎖状態から開くことでエネルギを蓄積し、その蓄積したエネルギを開放することで開いた状態の遮煙引戸７を閉鎖するようになっている。
【００１１】
また、上、下引寄せ手段９，１０は、遮煙引戸７の上部と下部とに取付けられた引寄せ片３０と、床面Ｆ及びケース２０の上部内側に取付けた引寄せローラ３１とから構成されており、遮煙引戸７が閉鎖状態で引寄せ片３０と引寄せローラ３１とが係合して遮煙引戸７を引戸枠８方向に移動させ、引戸枠８に連続するように取付けた密閉材３２に圧着するようになっており、引戸７の下端と床面Ｆ間は引戸７の下端に取付けたゴムフラップ３３でシールされるようになっている。
【００１２】
次に中間部分引寄せ手段１１の構成について説明する。遮煙引戸７と引戸枠８の上下方向中間部分には夫々揺動フック３４と、その揺動フック３４と係合する中間フック受け３５が設けられている。揺動フック３４は、棒状のばね鋼を図５に示すように凸形状に折り曲げると共に図６に示すようにく字形状に屈曲形成してある。この揺動フック３４の揺動端３６は、戸袋６側（戸元側）の遮煙引戸縦框３７の上下方向中間部分に設けられた引寄せケース３８の乗降フロア１７側に回動可能に嵌め込まれている。引寄せケース３８は、引戸縦枠１９側が開口しており、開口側には蓋取付部３９が形成されると共に支持片４０が上、下壁４１，４２の一部から形成されている。引寄せケース３８の戸先側壁４３にはアジャスターボルト４４の一端が回動可能に取付けられている。
【００１３】
この引寄せケース３８の内部には移動ケース４５が移動可能に設けられており、移動ケース４５の戸先側壁４６に前記アジャスターボルト４４の他端が螺合されている。移動ケース４５の上、下壁４７，４８の揺動フック３４の揺動端３６と対応する部分は切欠かれて引戸開閉方向に伸びる切欠き部４９が形成されている。また、移動ケース４５の上、下壁４７，４８の一部分が内側に向けて折り曲げられ上、下押出し片５０に形成されており、上、下押出し片５０の内側端部分５１は揺動フック３４に向けて広がるように傾斜し、揺動フック３４を中間フック受け３５に向けて押出すようになっている。
【００１４】
また、移動ケース４５の引戸縦枠側壁５２には、揺動フック３４の中間フック受け３５と係合する係合部５３が突出するための突出用窓５４が設けられている。前記引寄せケース３８の蓋取付部３９には、着脱可能に蓋５５が遮煙引戸７の引戸枠側面５６と面一となるようにビス止されている。この蓋５５は、戸袋６側が切欠かれており、この切欠き５７は、移動ケース４５が移動して揺動フック３４が図６において反時計回りに回転しながら図７のように立ち上がった際に、揺動フック３４と蓋５５とが干渉しない位置まで形成されている。
【００１５】
中間フック受け３５は、図６、図７に示すようにく字形状をしており、係合端側が遮煙引戸縦枠１９内から飛出さないように遮煙引戸縦枠１９の凹部５８内に取付けられている。更に、遮煙引戸装置５は、図４に示すように、遮煙引戸７を通常では開き状態で戸袋６内に収納保持するためのレリーズ装置５９を備えている。レリーズ装置５９は、一方の引戸７に係止片６０を取付け、ケース２０側にその係止片６０と係脱する係脱レバー６１がソレノイド６２の動作で揺動するように設けてあり、引戸７を開いた状態で係脱レバー６１が係止片６０に係止して左右の引戸７を開き状態に保持し、図示しない火災検知装置等の信号でソレノイド６２が動作して係止片６０と係脱レバー６１の係止を外すようになっている。
【００１６】
次に、遮煙引戸７の戸袋６への格納について説明する。蓋５５を外しておき、移動ケース４５を戸元側に移動して揺動フック３４を移動ケース４５内に倒し込んだ状態とする。その揺動フック３４を倒した状態で、引戸通過開口６３から遮煙引戸７を戸袋６内に格納して行き、図６に示すように揺動フック３４が中間フック受け３５を超える程度入った状態でアジャスターボルト４４を回転して移動ケース４５を戸先方向に移動する。移動ケース４５を移動させると、揺動フック３４が反時計方向（戸先方向）に回転しながら遮煙引戸７から中間フック受け３５に向けて突出し、中間フック受け３５と係合可能となる。その後、揺動フック３４と中間フック受け３５との係合によって遮煙引戸７を引戸枠８の密閉材３２に密着させると共に左右遮煙引戸７の戸先を密着させ、その密着状態をアジャスターボルト４４を回動しながら調整する。この時、遮煙引戸７は揺動フック３４の回動によって開閉方向及び見込み方向に移動するので、同時に遮煙引戸７と引戸枠８との密着状態と戸先の密着状態を調整することができる。この調整後、蓋５５を取り付け、遮煙引戸７をレリーズ装置５９により戸袋６に収納保持する。
【００１７】
火災時には、レリーズ装置５９の保持が解除され、引戸自閉装置２８によって遮煙引戸７が閉鎖されて通路４が封鎖される。この時、遮煙引戸７の上部及び下部は、上、下引寄せ手段９，１０によって引戸枠８に引寄せられて密着し、更に上下方向中間部分は、中間部引寄せ手段１１によって密着するので、通路４が遮煙引戸７によって遮蔽されて煙や火炎を遮り、煙や火炎の広がりを防止できる。そして、火炎の熱によって引戸７が変形しようとしても中間部引寄せ手段１１により変形が抑えられるので引戸７と引戸枠８間に隙間ができることが抑制される。
【００１８】
【発明の効果】
以上のように本願発明によれば、遮煙引戸の縦枠の上下方向中間部分に中間部引寄せ手段を設け、その中間部引寄せ手段は、遮煙引戸の内側から外側へ出没可能に設けられ、引戸縦枠に設けた中間フック受けとの係合により遮煙引戸を引戸枠に引寄せる揺動フックを備えているので、遮煙引戸の引戸縦框の上下方向中間部分が引戸縦枠に引寄せ密着するので、火災時に熱により遮煙引戸が変形しようとしても引戸縦框と引戸縦枠間に隙間ができ難く、煙や火炎を漏らさない。また、施工時には揺動フックを遮煙引戸内に没入できるので、遮煙引戸を戸袋に収めるときに引戸通過開口に揺動フックが当ること無く容易に収めることができる。更に、揺動フックの揺動量をアジャスターボルトにより調整することで、遮煙引戸と引戸枠との密着量と遮煙引戸の戸先の密着量とを調整することができる。
【図面の簡単な説明】
【図１】本発明の遮煙引戸装置を設置した状態の内観図である。
【図２】遮煙引戸装置の断面図である。
【図３】図２のＩＩＩ−ＩＩＩ線断面図である。
【図４】遮煙引戸の駆動系を示す正面図である。
【図５】図６のＶ視図である。
【図６】中間部引寄せ手段を示す断面図である。
【図７】中間部引寄せ手段による遮煙引戸の引寄せを示す図ある。
【図８】引寄せケースと移動ケースの概要を示す斜視図である。
【符号の説明】
４  通路
５  遮煙引戸装置
６  戸袋
７  遮煙引戸
８  引戸枠
１１  中間部引寄せ手段
１９  引戸縦枠
３４  揺動フック
３５  中間フック受け
３７  遮煙引戸縦框
３８  引寄せケース
４４  アジャスターボルト
４５  移動ケース
５０  上、下押出し片
６３  引戸通過開口
【図１】
2004169444.tif 000003
【図２】
2004169444.tif 000004
【図３】
2004169444.tif 000005
【図４】
2004169444.tif 000006
【図５】
2004169444.tif 000007
【図６】
2004169444.tif 000008
【図７】
2004169444.tif 000009
【図８】
2004169444.tif 000010